(57)【要約】【課題】本発明は、ケーブルの引っ張りに対する耐性をより強くできるＯＬＥＤ照明装置を提供する。【解決手段】本発明のＯＬＥＤ照明装置Ｓは、ＯＬＥＤパネル１と、ＯＬＥＤパネル１の全部または一部を配置する本体部２１、ケーブル３を取り付けるための付属部２２、および、ケーブル３で給電される電力をＯＬＥＤパネル１に給電するための配線を備える基板部材２とを備える。【選択図】図１
2020068155.tif 000002
【特許請求の範囲】
【請求項１】
ＯＬＥＤパネルと、
前記ＯＬＥＤパネルの全部または一部を配置する本体部、ケーブルを取り付けるための付属部、および、前記ケーブルで給電される電力を前記ＯＬＥＤパネルに給電するための配線を備える基板部材とを備える、
ＯＬＥＤ照明装置。
【請求項２】
前記基板部材を収容し、支持するケーシングと、
前記付属部を前記ケーシングに固定する固定部材とをさらに備える、
請求項１に記載のＯＬＥＤ照明装置。
【請求項３】
前記ケーブルを前記ケーシングに押さえ付ける押さえ部材をさらに備える、
請求項１または請求項２に記載のＯＬＥＤ照明装置。
【請求項４】
前記付属部は、前記本体部の外周における一部分から延設されている、
請求項１ないし請求項３のいずれかに１項に記載のＯＬＥＤ照明装置。
【発明の詳細な説明】
【技術分野】
【０００１】
本発明は、ＯＬＥＤ照明装置に関する。
【背景技術】
【０００２】
ＯＬＥＤ（Ｏｒｇａｎｉｃ  Ｌｉｇｈｔ  Ｅｍｉｔｔｉｎｇ  Ｄｉｏｄｅ）は、有機ＥＬ（Ｏｒｇａｎｉｃ  ＥｌｅｃｔｒｏＬｕｍｉｎｅｓｃｅｎｃｅ）とも呼ばれ、比較的、薄くて軽く、小消費電力でもあることから、近年、例えば、表示装置や照明装置等への応用が研究、開発されている。このようなＯＬＥＤを利用したＯＬＥＤパネルは、例えば、非特許文献１ないし非特許文献３に開示され、市販されている。
【先行技術文献】
【非特許文献】
【０００３】
【非特許文献１】カタログ；「ＯＬＥＤＷｏｒｋｓ  ＯＬＥＤ  Ｐａｎｅｌ  Ｂｒｉｔｅ  ＦＬ３００  Ｆａｍｉｌｙ  Ｐｒｏｄｕｃｔ  Ｓｈｅｅｔ」、ＯＬＥＤＷｏｒｋｓ  ＬＬＣ、２０１６年２月
【非特許文献２】カタログ；「Ｌｕｍｉｂｌａｄｅ  ＯＬＥＤ  Ｐａｎｅｌ  Ｂｒｉｔｅ  ＦＬ３００  ｎｗ」、ＯＬＥＤＷｏｒｋｓ  ＬＬＣ、２０１６年９月
【非特許文献３】カタログ；「Ｄｅｓｉｇｎ−ｉｎ  ｇｕｉｄｅ  ＯＬＥＤ  Ｐａｎｅｌ  Ｂｒｉｔｅ  ２  Ｆａｍｉｌｙ」、ＯＬＥＤＷｏｒｋｓ  ＬＬＣ、２０１６年９月
【発明の概要】
【発明が解決しようとする課題】
【０００４】
ところでＯＬＥＤパネルに電力を供給するために、ケーブル（電線）をＯＬＥＤパネルに接続する必要がある。ＯＬＥＤパネルの使用場所によっては、このケーブルに、手や足を引っかけてしまう場合がある。例えば、製造ラインのワークに比較的近くからＯＬＥＤパネルで照明する場合、ワークに対する作業中に、ＯＬＥＤパネルの近くのケーブルに手を引っかけてしまったり、コンセントに接続するために引き回されているケーブルに足を引っかけてしまったりする場合がある。ケーブルに手や足が引っかかると、ケーブルに引っ張り力がかかり、ケーブルとＯＬＥＤパネルとの接続部分に前記引っ張り力が集中し、これによって前記接続部分で接続不良が生じてしまう虞がある。このため、接続強度を増強するために、前記接続部分のはんだをより多く盛る対策が考えられる。しかしながら、ＯＬＥＤパネルでは、前記接続部分における、ケーブルと接続するための電極端子（電極パッド）は、その面積が小さいため、はんだを多く盛ることが難しい。仮にはんだをより多く盛ることができたとしても、盛られたはんだの高さがＯＬＥＤパネルの面（例えば背面）を超えてしまい、ＯＬＥＤパネルをケーシングに収容する際に、高く盛られたはんだによってＯＬＥＤパネルの面をケーシングの面に密着することができない。はんだをより多く盛ることができるように凹所を形成しようとしても、ＯＬＥＤパネルの厚さが例えば約１〜３ｍｍ程度であるので、前記凹所を深くすることも難しい。
【０００５】
本発明は、上述の事情に鑑みて為された発明であり、その目的は、ケーブルの引っ張りに対する耐性をより強くできるＯＬＥＤ照明装置を提供することである。
【課題を解決するための手段】
【０００６】
本発明者は、種々検討した結果、上記目的は、以下の本発明により達成されることを見出した。すなわち、本発明の一態様にかかるＯＬＥＤ照明装置は、ＯＬＥＤパネルと、前記ＯＬＥＤパネルの全部または一部を配置する本体部、ケーブルを取り付けるための付属部、および、前記ケーブルで給電される電力を前記ＯＬＥＤパネルに給電するための配線を備える基板部材とを備える。好ましくは、上述のＯＬＥＤ照明装置において、前記基板部材は、前記付属部が前記本体部から延設され、前記配線が前記本体部および前記付属部の各面にプリントされることで前記本体部、前記付属部および前記配線を一体化したプリント基板である。好ましくは、上述のＯＬＥＤ照明装置において、前記本体部と前記付属部とは、別体であり、前記配線は、前記本体部の面にプリントされた第１サブ配線と、前記付属部の面にプリントされた第２サブ配線と、前記第１サブ配線と前記第２サブ配線とを繋ぐリード線とを備える。好ましくは、上述のＯＬＥＤ照明装置において、前記本体部は、平面視にて前記ＯＬＥＤパネルと略同サイズである。好ましくは、上述のＯＬＥＤ照明装置において、前記ＯＬＥＤパネルは、平面視にて、矩形形状または円形形状である。
【０００７】
このようなＯＬＥＤ照明装置は、前記付属部を備えるので、電気的に接続するためだけでなく接続強度を増強するための量ではんだを盛り付けたり、コネクタを配設したりできるから、ケーブルの引っ張りに対する耐性をより強くできる。
【０００８】
他の一態様では、上述のＯＬＥＤ照明装置において、前記基板部材を収容し、支持するケーシングと、前記付属部を前記ケーシングに固定する固定部材とをさらに備える。好ましくは、上述のＯＬＥＤ照明装置において、前記固定部材は、両面テープまたは接着剤である。
【０００９】
このようなＯＬＥＤ照明装置は、前記付属部が前記ケーシングに前記固定部材で固定されるので、ケーブルの引っ張りに対する耐性をさらにより強くできる。
【００１０】
他の一態様では、これら上述のＯＬＥＤ照明装置において、前記ケーブルを前記ケーシングに押さえ付ける押さえ部材をさらに備える。
【００１１】
このようなＯＬＥＤ照明装置は、前記押さえ部材をさらに備えるので、ケーブルがケーシングと押さえ部材とで狭持されるから、ケーブルの引っ張りに対する耐性をさらにより強くできる。
【００１２】
他の一態様では、これら上述のＯＬＥＤ照明装置において、前記付属部は、前記本体部の外周における一部分から延設されている。好ましくは、上述のＯＬＥＤ照明装置において、前記ＯＬＥＤパネルは、平面視にて矩形形状であり、前記本体部は、平面視にて矩形形状であり、前記付属部は、前記矩形形状の本体部における一辺の一部から延設されている。
【００１３】
ＯＬＥＤパネルは、正面視にて、光が放射される発光領域を除く領域を可能な限り低減することでそのサイズ（大きさ）のコンパクト化を実現している。上記ＯＬＥＤ照明装置は、前記ＯＬＥＤパネルを配置する本体部の外周における一部分から前記付属部を延設するので、前記ＯＬＥＤパネルの大きさに対し必要最小限の付加で前記付属部を実現できている。特に、複数の光電変換素子を１次元や２次元でアレイ状に配置したイメージセンサでワークを撮像して得られた画像を所定の目的に応じて処理するマシンビジョン（ｍａｃｈｉｎｅ  ｖｉｓｉｏｎ）では、前記所定の目的を達成し易い照射方向から前記ワークを照明できるようにＯＬＥＤ照明装置を配設する必要がある。上記ＯＬＥＤ照明装置は、前記付属部が前記本体部の外周における一部分から延設されているので、マシンビジョンのためにＯＬＥＤ照明装置を配設する場合に、配設箇所における他の部材や装置と上記ＯＬＥＤ照明装置との干渉を低減できる。例えば、前記ＯＬＥＤパネルが平面視にて矩形形状である場合には、一辺だけに前記付属部を延設すれば良いので、残余の三辺は、そのまま維持できる。
【発明の効果】
【００１４】
本発明にかかるＯＬＥＤ照明装置は、ケーブルの引っ張りに対する耐性をより強くできる。
【図面の簡単な説明】
【００１５】
【図１】実施形態におけるＯＬＥＤ照明装置の構成を示す分解斜視図である。
【図２】前記ＯＬＥＤ照明装置の一部分の構成を説明するためのである。
【図３】前記ＯＬＥＤ照明装置に備えられるＯＬＥＤパネルの構成を示す断面図である。
【図４】前記ＯＬＥＤ照明装置の変形形態を説明するための図である。
【図５】一例として、ＯＬＥＤパネルにおける給電電極を説明するための図である。
【発明を実施するための形態】
【００１６】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１７】
図１は、実施形態におけるＯＬＥＤ照明装置の構成を示す分解斜視図である。図２は、前記ＯＬＥＤ照明装置の一部分の構成を説明するためのである。図２Ａないし図２Ｃは、図１に示すＯＬＥＤ照明装置において、カバー部材７、押さえ部材６、第２コネクタ５およびケーブル３を除いた状態での構成を示し、図２Ａは、斜視図であり、図２Ｂは、上面図であり、図２Ｃは、図２ＢのＩ−Ｉ断面線における断面図であり、図２Ｄは、基板部材２の背面図である。図３は、前記ＯＬＥＤ照明装置に備えられるＯＬＥＤパネルの構成を示す断面図である。
【００１８】
実施形態におけるＯＬＥＤ照明装置Ｓは、例えば、図１ないし図３に示すように、ＯＬＥＤパネル１と、基板部材２と、ケーブル３と、第１コネクタ４と、第２コネクタ５と、押さえ部材６と、カバー部材７と、ケーシング８と、ねじ９と、固定部材１０とを備える。
【００１９】
ＯＬＥＤパネル１は、ＯＬＥＤ（Ｏｒｇａｎｉｃ  Ｌｉｇｈｔ  Ｅｍｉｔｔｉｎｇ  Ｄｉｏｄｅ）を備え、給電されると光を放射する装置である。本実施形態では、ワークを面で照明するために、ＯＬＥＤパネル１は、面（２次元）で光を放射する。ＯＬＥＤパネル１は、平面視にて、例えば多角形形状や円形形状等の任意の形状であって良いが、本実施形態では、平面視にて矩形形状である。ＯＬＥＤパネル１は、用途に応じて単色であって良く、あるいは、白色であって良い。ＯＬＥＤパネル１は、１対の第１および第２電極間に有機発光層を備え、前記第１および第２電極に電力が供給されると、前記有機発光層における電子と正孔との再結合により発光する。このようなＯＬＥＤパネル１は、一例では、図３に示すように、光学保護層１１と、光学基板１２と、第１電極層１３と、有機発光層１４と、第２電極層１５と、封止層１６と、金属保護層１７とを備える。
【００２０】
光学基板１２は、その上に形成される、第１電極層１３、有機発光層１４、第２電極層１５、封止層１６および金属保護層１７を支持する支持部材である。光学基板１２は、有機発光層１４で発光される光を少なくとも透過する、例えば樹脂やガラス等によって形成される。光学基板１２は、例えば、矩形形状や円形形状等の板状（層状）に形成される。
【００２１】
光学保護層１１は、光学基板１２の一方主面上に面状（２次元状、層状、膜状）で積層され、光学基板１２の表面を保護する層であり、有機発光層１４で発光される光を少なくとも透過する、例えば樹脂で形成される。
【００２２】
第１および第２電極層１３、１５は、互いに１対となって外部から供給された電力を有機発光層１４に給電する部材である。第１電極層１３は、本実施形態では、アノード電極（＋電極）であり、光学基板１２の他方主面上に面状で積層される。本実施形態では、有機発光層１４で発光された光を第１電極層１３側から放射させるので、第１電極層１３は、有機発光層１４で発光される光を少なくとも透過する、例えばＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺｎＯ（Ｚｉｎｃ  Ｏｘｉｄｅ）等の透明な導電性を有する化合物（透明電極材料）で形成される。第２電極層１５は、本実施形態では、カソード電極（−電極）であり、有機発光層１４を介して第１電極層１３と対向するように、有機発光層１４状に面状で積層される。本実施形態では、有機発光層１４で発光された光を第１電極層１３側へ反射させるために、有機発光層１４で発光される光を少なくとも反射する、例えば銀（Ａｇ）、白金（Ｐｔ）、アルミニウム（Ａｌ）等の金属（合金を含む）で形成される。なお、有機発光層１４で発光された光を両面から放射させるために、第２電極層１５も、上述の透明電極材料で形成されても良い。
【００２３】
有機発光層１４は、第１電極層１３上に面状で積層され、１対の第１および第２電極層１３、１５で給電されると、発光する部材である。有機発光層１４は、一例では、正孔注入層（ＨＩＬ：Ｈｏｌｅ  Ｉｎｊｅｃｔｉｏｎ  Ｌａｙｅｒ）／正孔輸送層（ＨＴＬ：Ｈｏｌｅ  Ｔｒａｎｓｆｅｒ  Ｌａｙｅｒ）／発光層（ＥＭＬ：ＥＭｉｓｓｉｖｅ  Ｌａｙｅｒ）／電子輸送層（ＥＴＬ：Ｅｌｅｃｔｒｏｎ  Ｔｒａｎｓｆｅｒ  Ｌａｙｅｒ）／電子注入層（ＥＩＬ：Ｅｌｅｃｔｒｏｎ  Ｉｎｊｅｃｔｉｏｎ  Ｌａｙｅｒ）により構成される。有機発光層１４として、上記の他に、例えば発光層／電子輸送層により構成されるもの、正孔輸送層／発光層／電子輸送層により構成されるもの、正孔輸送層／発光層／正孔阻止層／電子輸送層により構成されるもの、正孔輸送層/発光層/正孔阻止層／電子輸送層／バッファー層により構成されるもの、バッファー層／正孔輸送層／発光層ユニット／正孔阻止層／電子輸送層／バッファー層により構成されるものが挙げられる。なお、光量を増加させるために、有機発光層１４が多層化されても良い。
【００２４】
封止層１６は、外部から通電可能とするために第１および第２電極層１３、１５の一部を外部に露出させて、第２電極層１５上、および、上述のように積層された第１電極層１３、有機発光層１４および第２電極層１５の各側面上を覆うように形成されることで、光学基板１２とで、第１電極層１３、有機発光層１４および第２電極層１５を封止する部材である。この封止層１６によって有機発光層１４の劣化が抑制される。
【００２５】
金属保護層１７は、封止層１６上に面状で積層され、封止層１６の表面を保護する層であり、例えば金属で形成される。
【００２６】
このような構成のＯＬＥＤパネル１において、以下、有機発光層１４で発光された光を放射する一方主面を「上面」と適宜に呼称し、前記上面（一方主面）に対向する他方主面を「背面」と適宜に呼称する。そして、図１に示すように、ＯＬＥＤパネル１の横方向、縦方向および厚さ方向それぞれに沿った各線分をＸ軸、Ｙ軸およびＺ軸とするＸＹＺ直交座標系が設定され、Ｘ軸、Ｘ方向、Ｙ軸、Ｙ方向、Ｚ軸およびＺ方向の各呼称が、以下、適宜に用いられる。
【００２７】
基板部材２は、外部からケーブル３を介して供給された電力を、ＯＬＥＤパネル１に供給するための部材である。基板部材２は、本実施形態では、ＯＬＥＤパネル１の全部または一部を配置する板状の本体部２１と、ケーブル３を取り付けるための板状の付属部２２と、ケーブル３で給電される電力をＯＬＥＤパネル１に給電するための図略の配線とを備える。
【００２８】
本体部２１は、ＯＬＥＤパネル１より大きなサイズであっても良いが、コンパクト化のために、本実施形態では、平面視にてＯＬＥＤパネル１と略同サイズである。本体部２１は、本実施形態では、ＯＬＥＤパネル１の横方向（すなわち、Ｘ軸方向）における所定の位置で２分割されており、１対の第１および第２電極層１３、１５それぞれに設けられた１対の電極端子（電極パッド）（あるいは、１対の第１および第２電極層１３、１５それぞれに各配線を介して接続された１対の電極端子（電極パッド））を持つＯＬＥＤパネル１の一部分が配置される、平面視にて矩形形状の第１本体部２１１と、ＯＬＥＤパネル１の残余部分が配置される、平面視にて矩形形状の第２本体部２１２とを備える。第１および第２本体部２１１、２１２における縦方向の各長さ（Ｙ方向の各長さ）は、ＯＬＥＤパネル１における縦方向の長さ（Ｙ方向の長さ）と略等しく、第１および第２本体部２１１、２１２における横方向の各長さの和（Ｘ方向の各長さの和）は、ＯＬＥＤパネル１における横方向の長さ（Ｘ方向の長さ）と略等しい。
【００２９】
付属部２２は、本実施形態では、第１本体部２１１から延設される。より具体的には、付属部２２は、第１本体部２１１の外周における一部分から所定のサイズ（大きさ）で延設されている。より詳しくは、付属部２２は、矩形形状の第１本体部２１１における縦方向（Ｙ軸）に沿った一辺の一部、図１および図２に示す例では前記一辺の中央部分の一部（前記一辺の長さより短い長さ）から横方向（Ｘ方向）へ延設された矩形形状である。なお、付属部２２は、矩形形状の第１本体部２１１における前記一辺の一方端部分の一部等、前記一辺の任意部分の一部から延設されて良い。すなわち、付属部２２は、第１本体部２１１から、前記一辺における縦方向（Ｙ軸）の任意の位置で、延設されて良い。付属部２２における前記所定のサイズは、ケーブル３をはんだで直接的に付属部２２に取り付ける場合では、電気的に接続するためだけでなく接続強度を増強するための量のはんだを少なくとも盛り付けることができる面積を持つサイズであり、本実施形態では、少なくとも第１コネクタ４を取り付けることができる面積を持つサイズである。
【００３０】
これら第１本体部２１１および付属部２２の各一方主面には、前記図略の配線がプリントされおり、これら第１本体部２１１、付属部２２および前記図略の配線は、本実施形態では、プリント基板として一体化されて構成されている。
【００３１】
ケーブル３は、その一方端が付属部２２における前記図略の配線に、電気的に接続するためだけでなく接続強度を増強するための量のはんだで取り付けられて良いが、本実施形態では、第１および第２コネクタ４、５で取り付けられる。より具体的には、ケーブル３の一方端には、例えば雄コネクタの第２コネクタ５が取り付けられ、付属部２２には、前記図略の配線に電気的に接続させて一方主面上に例えば雌コネクタの第１コネクタ４が取り付けられる。ケーブル３の他方端は、直接的に、あるいは、コネクタを介して、給電してＯＬＥＤパネル１を点消灯する駆動回路に接続される。図１および図２に示す例では、薄型化のために比較的小線径の電線を持つケーブル３が用いられており、このケーブル３における１対２本の電線で給電できる電力量は、ＯＬＥＤパネル１で必要な電力量に満たないため、ケーブル３は、２本の電源ラインと２本の接地ラインとの２対４本の電線で構成されている。なお、ＯＬＥＤパネルで必要な電力量が１対２本の電線で給電できる場合には、ケーブル３は、１対２本の電線で構成されて良い。
【００３２】
このような構成の第１本体部２１１は、図２Ｄに示すように、その前記図略の配線とＯＬＥＤパネル１の電極端子とが電気的に接続され、上面視にて付属部２２がＯＬＥＤパネル１から突出するように、ＯＬＥＤパネル１の背面における一方端部分に例えば接着剤等で固定的に取り付けられる。この状態では、第１本体部２１１の面と、この第１本体部２１１の取り付けられていないＯＬＥＤパネル１の背面との間に厚さ方向（Ｚ方向）の段差が生じる。このため、本実施形態では、この段差を無くするために、第１本体部２１１と同厚の第２本体部２１２が、第１本体部２１１の取り付けられていないＯＬＥＤパネル１の背面における他方端部分（ＯＬＥＤパネル１の背面における前記一方端部分を除く残余部分）に、例えば接着剤等で固定的に取り付けられる。このように本体部２１を、プリント基板の第１本体部２１１と、プリント基板ではない板材の第２本体部２１２とで構成することによって、１枚のプリント基板で本体部２１を構成する場合に較べて、低コスト化を図ることが可能となる。
【００３３】
なお、本体部２１は、１枚のプリント基板で構成されても良い。ＯＬＥＤパネル１は、発光領域が相対的に小面積である場合には、本実施形態のように、１箇所に設けられた１対の電極端子を備えて構成されるが、発光領域が相対的に大面積になると、ＯＬＥＤパネル１における透明電極部材で形成された電極層で生じる電圧降下のために輝度ムラが生じてしまうために、複数の箇所に複数対の電極端子を備えて構成される場合がある。特に、このような場合に、本体部２１は、１枚のプリント基板で構成される。また、本体部２１は、ＯＬＥＤパネル１の一部を配置するように、第２本体部２１２を省略し、第１本体部２１１のみで構成されても良い。この場合では、上述のように、第１本体部２１１の面と、この第１本体部２１１の取り付けられていないＯＬＥＤパネル１の背面との間に厚さ方向（Ｚ方向）の段差が生じるため、この段差を無くするために、第１本体部２１１と同厚の両面テープや接着剤等が前記第１本体部２１１の取り付けられていないＯＬＥＤパネル１の背面に設けられて良い。これによって第１本体部２１１と同厚の両面テープや接着剤等によって前記第１本体部２１１の取り付けられていないＯＬＥＤパネル１の背面とケーシング８との間が充填される。
【００３４】
ケーシング８は、基板部材２を収容し、支持する部材である。より具体的には、本実施形態では、ケーシング８は、ＯＬＥＤパネル１を配置した基板部材２およびこれに横方向（Ｘ方向）で並置される押さえ部材６を収容する高さで各側壁８１−１、８１−２、８１−３となるように、三辺を略垂直に折り曲げた金属板である。ケーシング８の底部における一方端には、押さえ部材６を取り付けるためのケーシング側ねじ孔８２（８２−１、８２−２）と、ＯＬＥＤ照明装置Ｓを他の部材に取り付けるためのケーシング側取付け孔８３（８３−１、８３−２）とが貫通開口で形成されている。
【００３５】
押さえ部材６は、ケーブル３をケーシング８に押さえ付ける部材である。より具体的には、本実施形態では、押さえ部材６は、基板部材２の付属部２２と干渉しないように切り欠きを備える板状の部材である。より詳しくは、押さえ部材６は、ＯＬＥＤパネル１の縦方向（Ｙ方向）の長さと同じ長さの矩形形状であって板状である押さえ本体部６１と、押さえ本体部６１の両端部分それぞれから横方向（Ｘ方向）に延びる第１および第２アーム部６２−１、６２−２とを備え、第１および第２アーム部６２−１、６２−２間の長さ（縦方向の長さ）が付属部２２の縦方向の長さより長く、第１および第２アーム部６２−１、６２−２それぞれの横方向の長さが付属部２２の横方向の長さより長くなっている。すなわち、押さえ部材６は、平面視にて略コ字形状を呈しており、この略コ字形状の切り欠き部分内に付属部２２を配置（収容）可能な寸法で形成されている。押さえ本体部６１の背面には、ケーブル３を嵌め込むための凹所６１１がケーブル３の厚さより若干短い深さ（若干浅い深さ、Ｚ方向の長さ）で横方向（Ｘ方向）に延びて形成されている。押さえ本体部６１には、ケーシング８に形成されたケーシング側ねじ孔８２（８２−１、８２−２）およびケーシング側取付け孔８３（８３−１、８３−２）それぞれに対応して押さえ側ねじ孔６１２（６１２−１、６１２−２）および押さえ側取付け孔６１３（６１３−１、６１３−２）が貫通開口で形成されている。
【００３６】
上述のように組み付けられた、ＯＬＥＤパネル１、基板部材２、ケーブル３、第１コネクタ４および第２コネクタ５は、ＯＬＥＤパネル１および第２本体部２１２の他方端部の端面を、ケーシング８の他方端部における側壁８１−２の内側面に当接させ、そして、基板部材２の面（第１本体部２１１、第２本体部２１２および付属部２２の各面）をケーシング８の底面に当接させて、ケーシング８に収容され、配置される。この際に、図２Ｄに示すように、例えば両面テープや接着剤等の固定部材１０で付属部２２がケーシング８に固定される。なお、第１および第２本体部２１１、２１２のうちの少なくとも一方も、例えば両面テープや接着剤等でケーシング８に固定されても良い。本実施形態では、第１および第２アーム部６２−１、６２−２間に付属部２２が配置（収容）され、押さえ本体部６１の背面に形成された凹所６１１にケーブル３が配置されるように、押さえ部材６が、ＯＬＥＤパネル１に横方向で並置されるように配置される。そして、押さえ部材６をケーシング８に固定するための固定ねじ９（９１、９２）が、ケーシング側ねじ孔８２（８２−１、８２−２）を介して押さえ側ねじ孔６１２（６１２−１、６１２−２）に螺合される。これによって押さえ部材６が固定ねじ９によってケーシング８に固定され、ケーブル３が凹所６１１で押さえ部材６によってケーシング８に押さえ付けられる。
【００３７】
そして、美観の観点から、カバー部材７が配設される。本実施形態では、カバー部材７は、ＯＬＥＤパネル１の非発光領域を目隠しするための第１カバー部材７１と、付属部２２、ケーブル３の端部、第１コネクタ４、第２コネクタ５および押さえ部材６を目隠しするための第２カバー部材７２とを備える。第１カバー部材７１は、平面視にてＯＬＥＤパネル１と略同サイズであって、ＯＬＥＤパネル１の発光領域に対応する領域を開口したシート状の部材である。本実施形態では、ＯＬＥＤパネル１の外形および発光領域が矩形形状であることから、第１カバー部材７１は、外形が矩形形状であって、この外形サイズより一回り小さいサイズの矩形形状の開口を形成した環状のシート状の部材である。第２カバー部材７２は、押さえ部材６における、第１アーム部６２−１から第２アーム部６２−２までを覆うような矩形形状のシート状の部材である。このようなカバー部材７は、第１カバー部材７１がＯＬＥＤパネル１の上面に、両面テープや接着剤等によって貼着され、第２カバー部材７２が第１アーム部６２−１から第２アーム部６２−２までを覆うように、第１および第２アーム部６２−１、６２−２の面上に、両面テープや接着剤等によって貼着される。
【００３８】
次に、本実施形態におけるＯＬＥＤ照明装置Ｓの作用効果について説明する。図５は、一例として、ＯＬＥＤパネルにおける給電電極を説明するための図である。図５Ａは、ＯＬＥＤパネルの背面を示し、図５Ｂは、図５Ａで○で囲まれた部分の拡大図を示し、図５Ｃは、図５Ｂに示すＩＩ−ＩＩ断面線での断面図を示す。図５は、非特許文献２の２３頁から抜粋した図である。ＯＬＥＤパネルにケーブルを直接的に取り付ける場合では、図５に示す＋電極および−電極にケーブルを例えばはんだで取り付けることになる。これら＋電極および−電極は、ＯＬＥＤパネルが可能な限り軽くてコンパクトに設計されているため、その面積が非常に小さい。図５に示す例では、１．６ｍｍ×１．６ｍｍ＝２．５６ｍｍ２ほどである。このため、接続強度を増強するために、多くのはんだを盛り付けることが難しい。仮に、この小面積な＋電極および−電極にはんだをより多く盛ることができたとしても、多く盛り付けたが故に、はんだの高さがＯＬＥＤパネルの背面を超えてしまい、ＯＬＥＤパネルをケーシングに収容する際に、高く盛られたはんだによってＯＬＥＤパネルの面をケーシングの面に密着することができない。はんだをより多く盛ることができるように凹所を形成しようとしても、ＯＬＥＤパネルの厚さが、例えば図５に示す例のように、約１ｍｍ程度であるので、前記凹所を深くすることも難しい。
【００３９】
一方、本実施形態におけるＯＬＥＤ照明装置Ｓは、付属部２２を備えるので、電気的に接続するためだけでなく接続強度を増強するための量ではんだを盛り付けたり、コネクタ（上述では第１コネクタ４）を配設したりできるから、ケーブル３の引っ張りに対する耐性をより強くできる。
【００４０】
上記ＯＬＥＤ照明装置Ｓは、付属部２２がケーシング８に固定部材１０で固定されるので、ケーブル３の引っ張りに対する耐性をさらにより強くできる。
【００４１】
上記ＯＬＥＤ照明装置Ｓは、押さえ部材６をさらに備えるので、その凹所６１１において、ケーブル３がケーシング８と押さえ部材６とで狭持されるから、ケーブル３の引っ張りに対する耐性をさらにより強くできる。
【００４２】
ＯＬＥＤパネルは、正面視にて、光が放射される発光領域を除く領域を可能な限り低減することでそのサイズ（大きさ）のコンパクト化を実現している。上記ＯＬＥＤ照明装置Ｓは、ＯＬＥＤパネル１を配置する本体部２１の外周における一部分（上述の例では第１本体部２１１の一辺の一部分）から付属部２２を延設するので、ＯＬＥＤパネル１の大きさに対し必要最小限の付加で付属部２２を実現できている。特に、複数の光電変換素子を１次元や２次元でアレイ状に配置したイメージセンサでワークを撮像して得られた画像を所定の目的に応じて処理するマシンビジョン（ｍａｃｈｉｎｅ  ｖｉｓｉｏｎ）では、前記所定の目的を達成し易い照射方向から前記ワークを照明できるようにＯＬＥＤ照明装置を配設する必要がある。上記ＯＬＥＤ照明装置Ｓは、付属部２２が本体部２１の外周における一部分から延設されているので、マシンビジョンのためにＯＬＥＤ照明装置Ｓを配設する場合に、配設箇所における他の部材や装置と上記ＯＬＥＤ照明装置Ｓとの干渉を低減できる。例えば、ＯＬＥＤパネル１が平面視にて矩形形状である場合には、一辺だけに付属部２２を延設すれば良いので、残余の三辺は、そのまま維持できる。
【００４３】
なお、上述の実施形態では、付属部２２は、本体部２１の第１本体部２１１から延設されたが、本体部２１と別体であっても良い。
【００４４】
図４は、前記ＯＬＥＤ照明装置の変形形態を説明するための図である。図４は、図２と同様に、カバー部材７、押さえ部材６、第２コネクタ５およびケーブル３を除いた状態での構成を示し、変形形態におけるＯＬＥＤ照明装置Ｓａの上面図である。
【００４５】
この変形形態におけるＯＬＥＤ照明装置Ｓａは、上述のように、本体部２１と別体の付属部２２ａを備える基板部材２ａを備える点を除き、上述のＯＬＥＤ照明装置Ｓと同様に構成されている。この基板部材２ａは、本体部２１と、付属部２２ａと、配線とを備える。この変形形態における本体部２１は、付属部２２ａと別体である点を除き、上述の第１および第２本体部２１１、２１２を備える本体部２１と同様である。付属部２２ａは、本体部２１と別体である点を除き、上述の付属部２２と同様である。前記配線は、本体部２１の面にプリントされた図略の第１サブ配線と、付属部２２ａの面にプリントされた図略の第２サブ配線と、前記第１サブ配線と前記第２サブ配線とを繋ぐリード線２４（２４−１、２４−２）とを備える。前記図略の第１サブ配線は、第１本体部２１１にプリントされた上述の前記図略の配線と同様であり、前記図略の第２サブ配線は、付属部２２にプリントされた上述の前記図略の配線と同様である。このように付属部２２ａを本体部２１と別体とすることで、既に基板部材を備えたＯＬＥＤパネルに対し、後付で付属部２２ａを設けることができ、後付で接続強度が増強できる。
【００４６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００４７】
Ｓ、Ｓａ  ＯＬＥＤ照明装置
１  ＯＬＥＤパネル
２、２ａ  基板部材
３  ケーブル
４  第１コネクタ
５  第２コネクタ
６  押さえ部材
８  ケーシング
１０  固定部材
２１  本体部
２２、２２ａ  付属部
２１１  第１本体部
２１２  第２本体部
【図１】
2020068155.tif 000003
【図２】
2020068155.tif 000004
【図３】
2020068155.tif 000005
【図４】
2020068155.tif 000006
【図５】
2020068155.tif 000007